(57)【要約】【課題】電力の購入量削減を図りやすくなる電力管理装置、電力管理方法、および、プログラムを提供する。【解決手段】商用系統２０から蓄電部３０および負荷４０の少なくとも一方への電力供給と、蓄電部３０から負荷４０への電力供給を制御する電力管理装置１０であって、蓄電部３０に充電された蓄電量を取得する取得部１１と、負荷４０における消費電力の時間変化である需要カーブを推定する推定部１２と、取得した蓄電量、および、推定した需要カーブに基づいて、商用系統２０から負荷４０への電力供給を制限し、蓄電部３０から当該負荷４０に電力を供給するピークカット値の暫定値を算出する暫定値算出部１３と、推定した需要カーブ、および、負荷４０における測定した消費電力の時間変化である測定需要カーブの差に基づいて、ピークカット値の暫定値を補正したピークカット値の補正値を算出する補正値算出部１４と、が設けられていることを特徴とする。【選択図】  図１
2019088173.tif 000002
【特許請求の範囲】
【請求項１】
商用系統から蓄電部および負荷の少なくとも一方への電力供給と、前記蓄電部から前記負荷への電力供給を制御する電力管理装置であって、
前記蓄電部に充電された蓄電量を取得する取得部と、
前記負荷における消費電力の時間変化である需要カーブを推定する推定部と、
取得した前記蓄電量、および、推定した前記需要カーブに基づいて、前記商用系統から前記負荷への電力供給を制限し、前記蓄電部から当該負荷に電力を供給するピークカット値の暫定値を算出する暫定値算出部と、
推定した前記需要カーブ、および、前記負荷における測定した消費電力の時間変化である測定需要カーブの差に基づいて、前記ピークカット値の暫定値を補正したピークカット値の補正値を算出する補正値算出部と、
が設けられていることを特徴とする電力管理装置。
【請求項２】
前記補正値算出部は、前記測定需要カーブの値が前記ピークカット値の暫定値より所定の値だけ小さな閾値と等しくなった時刻である第１時刻と、推定した前記需要カーブおよび前記ピークカット値の暫定値から求められるピークカットを開始する時刻である第２時刻と、の差である時刻差に基づいて、ピークカット値の補正値を算出することを特徴とする請求項１記載の電力管理装置。
【請求項３】
前記補正値算出部は、推定した前記需要カーブおよび前記ピークカット値の暫定値から求められるピークカットを開始する時刻から所定時間だけ前の判定時刻における測定需要カーブの値と、当該判定時刻における推定した前記需要カーブの値と、の差である需要差に基づいて前記ピークカット値の補正値を算出することを特徴とする請求項１記載の電力管理装置。
【請求項４】
蓄電部に充電された蓄電量を取得する取得ステップと、
負荷における消費電力の時間変化である需要カーブを推定する推定ステップと、
取得した前記蓄電量、および、推定した前記需要カーブに基づいて、商用系統から前記負荷への電力供給を制限し、前記蓄電部から当該負荷に電力を供給するピークカット値の暫定値を算出する暫定値算出ステップと、
推定した前記需要カーブ、および、前記負荷における測定した前記消費電力の時間変化である測定需要カーブの差に基づいて、前記ピークカット値の暫定値を補正したピークカット値の補正値を算出する補正値算出ステップと、
を有することを特徴とする電力管理方法。
【請求項５】
前記補正値算出ステップは、前記測定需要カーブの値が前記ピークカット値の暫定値より所定の値だけ小さな閾値と等しくなった時刻である第１時刻と、推定した前記需要カーブおよび前記ピークカット値の暫定値から求められるピークカットを開始する時刻である第２時刻と、の差である時刻差に基づいて、前記ピークカット値の補正値を算出することを特徴とする請求項４記載の電力管理方法。
【請求項６】
補正値算出ステップは、推定した前記需要カーブおよび前記ピークカット値の暫定値から求められるピークカットを開始する時刻から所定時間だけ前の判定時刻における測定需要カーブの値と、当該判定時刻における推定した前記需要カーブの値と、の差である需要差に基づいて前記ピークカット値の補正値を算出することを特徴とする請求項４記載の電力管理方法。
【請求項７】
コンピュータに、
蓄電部に充電された蓄電量を取得する取得機能と、
負荷における消費電力の時間変化である需要カーブを推定する推定機能と、
取得した前記蓄電量、および、推定した前記需要カーブに基づいて、商用系統から前記負荷への電力供給を制限し、前記蓄電部から当該負荷に電力を供給するピークカット値の暫定値を算出する暫定値算出機能と、
推定した前記需要カーブ、および、前記負荷における測定した前記消費電力の時間変化である測定需要カーブの差に基づいて、前記ピークカット値の暫定値を補正したピークカット値の補正値を算出する補正値算出機能と、
を実現させることを特徴とするプログラム。
【請求項８】
前記補正値算出機能は、前記測定需要カーブの値が前記ピークカット値の暫定値より所定の値だけ小さな閾値と等しくなった時刻である第１時刻と、推定した前記需要カーブおよび前記ピークカット値の暫定値から求められるピークカットを開始する時刻である第２時刻と、の差である時刻差に基づいて、ピークカット値の補正値を算出することを特徴とする請求項７記載のプログラム。
【請求項９】
前記補正値算出機能は、推定した前記需要カーブおよび前記ピークカット値の暫定値から求められるピークカットを開始する時刻から所定時間だけ前の判定時刻における測定需要カーブの値と、当該判定時刻における推定した前記需要カーブの値と、の差である需要差に基づいて前記ピークカット値の補正値を算出することを特徴とする請求項７記載のプログラム。
【発明の詳細な説明】
【技術分野】
【０００１】
本発明は、電力管理装置、電力管理方法、および、プログラムに関する。
【背景技術】
【０００２】
近年、電力の需要が増えるピークの時間帯において、商用系統から受電する電力量を減らすピークカットやピークシフトを目的とした蓄電池の利用技術が提案されている（例えば、特許文献１参照。）。
【先行技術文献】
【特許文献】
【０００３】
【特許文献１】特開２０１４−１５２９８４号公報
【発明の概要】
【発明が解決しようとする課題】
【０００４】
上述の特許文献１に記載の技術では、蓄電池を用いない場合と比較すると、商用系統から受電する電力量、言い換えると、商用系統から購入する電力の費用削減が行える。しかしながら、蓄電池の容量に基づいて考えると、電力の費用削減に寄与していない容量が存在しているため、電力の費用削減が十分に行えていないという問題があった。
【０００５】
本発明は、上記の課題を解決するためになされたものであって、電力の購入量削減を図りやすくなる電力管理装置、電力管理方法、および、プログラムを提供することを目的とする。
【課題を解決するための手段】
【０００６】
上記目的を達成するために、本発明は、以下の手段を提供する。
本発明の第１の態様に係る電力管理装置は、商用系統から蓄電部および負荷の少なくとも一方への電力供給と、前記蓄電部から前記負荷への電力供給を制御する電力管理装置であって、前記蓄電部に充電された蓄電量を取得する取得部と、前記負荷における消費電力の時間変化である需要カーブを推定する推定部と、取得した前記蓄電量、および、推定した前記需要カーブに基づいて、前記商用系統から前記負荷への電力供給を制限し、前記蓄電部から当該負荷に電力を供給するピークカット値の暫定値を算出する暫定値算出部と、推定した前記需要カーブ、および、前記負荷における測定した消費電力の時間変化である測定需要カーブの差に基づいて、前記ピークカット値の暫定値を補正したピークカット値の補正値を算出する補正値算出部と、が設けられていることを特徴とする。
【０００７】
本発明の第２の態様に係る電力管理方法は、蓄電部に充電された蓄電量を取得する取得ステップと、負荷における消費電力の時間変化である需要カーブを推定する推定ステップと、取得した前記蓄電量、および、推定した前記需要カーブに基づいて、商用系統から前記負荷への電力供給を制限し、前記蓄電部から当該負荷に電力を供給するピークカット値の暫定値を算出する暫定値算出ステップと、推定した前記需要カーブ、および、前記負荷における測定した前記消費電力の時間変化である測定需要カーブの差に基づいて、前記ピークカット値の暫定値を補正したピークカット値の補正値を算出する補正値算出ステップと、を有することを特徴とする。
【０００８】
本発明の第３の態様に係るプログラムは、コンピュータに、蓄電部に充電された蓄電量を取得する取得機能と、負荷における消費電力の時間変化である需要カーブを推定する推定機能と、取得した前記蓄電量、および、推定した前記需要カーブに基づいて、商用系統から前記負荷への電力供給を制限し、前記蓄電部から当該負荷に電力を供給するピークカット値の暫定値を算出する暫定値算出機能と、推定した前記需要カーブ、および、前記負荷における測定した前記消費電力の時間変化である測定需要カーブの差に基づいて、前記ピークカット値の暫定値を補正したピークカット値の補正値を算出する補正値算出機能と、を実現させることを特徴とする。
【０００９】
本発明の第１の態様に係る電力管理装置、第２の態様に係る電力管理方法、および、第３の態様に係るプログラムによれば、蓄電量および推定した需要カーブに基づいてピークカット値の暫定値を算出した後、需要カーブおよび測定需要カーブの差に基づいてピークカット値の暫定値を補正したピークカット値の補正値を算出することにより、ピークカット制御を行った際に蓄電部の容量に空きが発生したり、容量が不足したりすることを抑制できる。
【００１０】
例えば、ピークカット値の暫定値を用いると蓄電部の容量に空きが発生する場合には、需要カーブおよび測定需要カーブの差に基づいて補正したピークカット値の補正値を用いることにより、蓄電部の容量に空きが発生しにくくなる。また、ピークカット値の暫定値を用いると蓄電部の容量が不足する場合には、需要カーブおよび測定需要カーブの差に基づいて補正したピークカット値の補正値を用いることにより、蓄電部の容量の不足が発生しにくくなる。
【００１１】
上記発明の第１の態様において前記補正値算出部は、前記測定需要カーブの値が前記ピークカット値の暫定値より所定の値だけ小さな閾値と等しくなった時刻である第１時刻と、推定した前記需要カーブおよび前記ピークカット値の暫定値から求められるピークカットを開始する時刻である第２時刻と、の差である時刻差に基づいて、ピークカット値の補正値を算出することが好ましい。
【００１２】
上記発明の第２の態様において補正値算出ステップは、前記測定需要カーブの値が前記ピークカット値の暫定値より所定の値だけ小さな閾値と等しくなった時刻である第１時刻と、推定した前記需要カーブおよび前記ピークカット値の暫定値から求められるピークカットを開始する時刻である第２時刻と、の差である時刻差に基づいて、前記ピークカット値の補正値を算出することが好ましい。
【００１３】
上記発明の第３の態様において前記補正値算出機能は、前記測定需要カーブの値が前記ピークカット値の暫定値より所定の値だけ小さな閾値と等しくなった時刻である第１時刻と、推定した前記需要カーブおよび前記ピークカット値の暫定値から求められるピークカットを開始する時刻である第２時刻と、の差である時刻差に基づいて、ピークカット値の補正値を算出することが好ましい。
【００１４】
このように第１時刻と第２時刻との差である時刻差に基づいてピークカット値の補正値を算出することにより、時刻差を用いない場合と比較して、ピークカット値の補正値の精度を高めやすくなる。
【００１５】
上記発明の第１の態様において前記補正値算出部は、推定した前記需要カーブおよび前記ピークカット値の暫定値から求められるピークカットを開始する時刻から所定時間だけ前の判定時刻における測定需要カーブの値と、当該判定時刻における推定した前記需要カーブの値と、の差である需要差に基づいて前記ピークカット値の補正値を算出することが好ましい。
【００１６】
上記発明の第２の態様において補正値算出ステップは、推定した前記需要カーブおよび前記ピークカット値の暫定値から求められるピークカットを開始する時刻から所定時間だけ前の判定時刻における測定需要カーブの値と、当該判定時刻における推定した前記需要カーブの値と、の差である需要差に基づいて前記ピークカット値の補正値を算出することが好ましい。
【００１７】
上記発明の第３の態様において前記補正値算出機能は、推定した前記需要カーブおよび前記ピークカット値の暫定値から求められるピークカットを開始する時刻から所定時間だけ前の判定時刻における測定需要カーブの値と、当該判定時刻における推定した前記需要カーブの値と、の差である需要差に基づいて前記ピークカット値の補正値を算出することが好ましい。
【００１８】
このように判定時刻における測定需要カーブの値と、前記需要カーブの値との差である需要差に基づいてピークカット値の補正値を算出することにより、需要差を用いない場合と比較して、ピークカット値の補正値の精度を高めやすくなる。
【発明の効果】
【００１９】
本発明の電力管理装置、電力管理方法、および、プログラムによれば、蓄電量および推定した需要カーブに基づいてピークカット値の暫定値を算出した後、需要カーブおよび測定需要カーブの差に基づいてピークカット値の暫定値を補正したピークカット値の補正値を算出することにより、電力の購入量削減を図りやすくなるという効果を奏する。
【図面の簡単な説明】
【００２０】
【図１】本発明の第１の実施形態に係る電力管理装置の構成を説明する摸式図である。
【図２】図１の電力管理装置による電力管理方法であるピークカット制御を説明するフローチャートである。
【図３】ピークカットの計画値を定める演算処理を説明するフローチャートである。
【図４】需要カーブとピークカット値の暫定値との関係を説明するグラフである。
【図５】ピークカットの修正および制御の演算処理を説明するフローチャートである。
【図６】図６（a）は、測定需要カーブが需要カーブを上回った場合のピークカット値の補正値を説明するグラフであり、図６（ｂ）は、測定需要カーブが需要カーブを下回った場合のピークカット値の補正値を説明するグラフである。
【図７】本発明の第２の実施形態に係る電力管理装置の構成を説明する摸式図である。
【図８】図８（a）は、測定需要カーブが需要カーブを上回った場合のピークカット値の補正値を説明するグラフであり、図８（ｂ）は、測定需要カーブが需要カーブを下回った場合のピークカット値の補正値を説明するグラフである。
【図９】本発明の第３の実施形態に係る電力管理装置の構成を説明する摸式図である。
【図１０】図１０（a）は、測定需要カーブが需要カーブを上回った場合のピークカット値の補正値を説明するグラフであり、図１０（ｂ）は、測定需要カーブが需要カーブを下回った場合のピークカット値の補正値を説明するグラフである。
【発明を実施するための形態】
【００２１】
〔第１の実施形態〕
以下、本発明の第１の実施形態に係る電力管理装置１０ついて図１から図６を参照しながら説明する。本実施形態では、図１に示すように、電力管理装置１０が商用系統２０から受電する電力量を減らすピークカットやピークシフトを目的とした蓄電池（蓄電部）３０の充放電を制御するものである例に適用して説明する。
【００２２】
電力管理装置１０は、負荷４０への電力供給を制御するものであり、蓄電池３０に対する充電および放電を制御するものである。電力管理装置１０は、ＣＰＵ（中央演算処理ユニット）、ＲＯＭ、ＲＡＭ、入出力インタフェース等を有する情報処理装置でもある。
【００２３】
上述のＲＯＭ等の記憶装置に記憶されているプログラムは、ＣＰＵ、ＲＯＭ、ＲＡＭ、入出力インタフェースを協働させて、取得部１１、推定部１２、暫定値算出部１３、補正値算出部１４、および、制御部１５として機能させるものである。
【００２４】
取得部１１は、蓄電池３０に充電された蓄電量を取得するものである。蓄電量は後述するピークカット値の暫定値ＰＶを求める際に用いられるものである。また、取得部１１は、負荷４０における消費電力の情報を取得するものでもある。消費電力の情報は、後述する需要カーブＤＣ１や測定需要カーブＤＣ２を求める際に用いられるものである。
【００２５】
推定部１２は、負荷４０における消費電力の時間変化である需要カーブＤＣ１を推定するものである。ここで需要カーブＤＣ１は、電力管理装置１０により電力が供給される負荷４０における過去の消費電力の時間変化に基づいて求められるものであり、負荷４０における平均的な消費電力の時間変化を表すものである。
【００２６】
本実施形態では、電力管理装置１０による制御が行われる日の属性（曜日やイベントの有無、気候の情報）に関わらず同一の需要カーブＤＣ１を推定する例に適用して説明するが、当該制御が行われる日の属性に応じてそれぞれ異なる需要カーブＤＣ１を推定してもよい。例えば、過去の同じ曜日に測定された負荷４０の消費電力の時間変化を用いて需要カーブＤＣ１を推定してもよい。
【００２７】
また、需要カーブＤＣ１の推定に用いられる過去の負荷４０の消費電力の情報は、電力管理装置１０の記憶部（図示せず。）に記憶されたものを用いてもよいし、負荷４０に設けられた記憶部（図示せず。）に記憶されたものを用いてもよいし、電力管理装置１０および負荷４０とは異なるサーバ等の情報処理装置の記憶部（図示せず。）に記憶されたものを用いてもよい。
【００２８】
暫定値算出部１３は、商用系統２０から負荷４０への電力供給を制限し、蓄電池３０から負荷４０に電力を供給するピークカット値の暫定値ＰＶを算出する演算処理を行うものである。具体的には、取得した蓄電量、および、推定した需要カーブＤＣ１に基づいて算出する演算処理を行う。
【００２９】
補正値算出部１４は、ピークカット値の暫定値ＰＶを補正したピークカット値の補正値ＣＶを算出する演算処理を行うものである。具体的には、推定した需要カーブＤＣ１、および、負荷４０における測定した消費電力の時間変化である測定需要カーブＤＣ２に基づいて算出する演算処理を行うものである。当該演算処理の詳細については後述する。
【００３０】
制御部１５は、蓄電池３０への充電および放電を制御するものである。制御する内容としては、負荷４０における消費電力が増加するピーク時に、商用系統２０から負荷４０への電力の供給を停止し、蓄電池３０から負荷４０へ電力を供給する制御であるピークカット制御が含まれる。
【００３１】
次に、上記の構成からなる電力管理装置１０における電力管理方法について図２から図６を参照しながら説明する。具体的には、負荷４０に供給する電力量のうちの商用系統２０から購入する電力量を削減するピークカット制御について説明する。
【００３２】
電力管理装置１０は、図２に示すように、まずピークカット制御の計画値を定める演算処理を行う（Ｓ１０）。計画値を定める演算処理は、ピークカット制御が開始される時刻よりも前に行われる。例えば、ピークカット制御を行う日の朝や、前夜、前日などを挙げることができる。
【００３３】
計画値を定める演算処理では、図３に示すように、取得部１１による蓄電池３０に充電された蓄電量の取得処理、および、負荷４０における過去の消費電力の情報の取得処理が行われる（Ｓ１１：取得ステップ）。蓄電量としては、蓄電池３０に充電された電力量および蓄電池３０から放電された電力量を積算して求められたものを例示することができる。蓄電量は電力管理装置１０の記憶部（図示せず）に記憶されていてもよいし、蓄電池３０に設けられた記憶部（図示せず）に記憶されていてもよい。
【００３４】
蓄電量や消費電力の情報が取得されると、推定部１２は、負荷４０における消費電力の時間変化である需要カーブＤＣ１を推定する演算処理を行う（Ｓ１２：推定ステップ）。推定される需要カーブＤＣ１としては、図４に示すように朝から昼に向けて消費電力が増加し、昼から夕方に向けて消費電力が減少する曲線を描くものを例示することができる。
【００３５】
需要カーブＤＣ１を推定すると、図３に示すように、暫定値算出部１３はピークカット値の暫定値ＰＶを求める演算処理を行う（Ｓ１３：暫定値算出ステップ）。ピークカット値の暫定値ＰＶは、Ｓ１１で取得した取得した蓄電池３０の蓄電量、および、Ｓ１２の演算処理により推定した需要カーブＤＣ１に基づいて求められる。
【００３６】
具体的には、需要カーブＤＣ１に基づいて推定される商用系統２０から購入する電力量の削減量ＲＡ（図４参照。）が、蓄電池３０から放電が許容される電力量以下となるように、ピークカット値の暫定値ＰＶが定められる。購入する電力量の削減量ＲＡは、ピークカット値の暫定値ＰＶを下げると増大し、上げると減少する。
【００３７】
蓄電池３０から放電が許容される電力量としては、例えば蓄電池３０をバックアップ用電源として用いない場合には、蓄電池３０に蓄電されている放電可能な電力量を挙げることができる。また、蓄電池３０をバックアップ用電源として用いる場合には、バックアップ用に確保する電力量を除いた放電可能な電力量を挙げることができる。
【００３８】
求められたピークカット値の暫定値ＰＶは電力管理装置１０に記憶され、図２に戻り、電力管理装置１０は修正および制御の処理を行う（Ｓ２０）。修正および制御の処理は、ピークカット制御が開始される日の未明や朝から開始する場合を例示することができる。
【００３９】
修正および制御の処理が行われると、図５に示すように、取得部１１による負荷４０において測定された消費電力の情報の取得処理が行われる（Ｓ２１：取得ステップ）。当該消費電力の情報は、電力管理装置１０において測定された情報であってもよいし、負荷４０において測定された情報であってもよい。
【００４０】
測定された消費電力の情報が取得されると、補正値算出部１４は、取得した測定された消費電力の情報に基づいて測定需要カーブＤＣ２を求める演算処理を行うとともに、演算処理時に最も近い時刻における測定需要カーブＤＣ２の値が閾値ＴＨ以上か否かを判定する処理を行う（Ｓ２２）。ここで閾値ＴＨは、図６（ａ）（ｂ）に示すように、ピークカット値の暫定値ＰＶより所定の値だけ小さな値をもつものである。所定の値は予め定められた大きさを有するものであり、０よりも大きな任意の値を用いることができる。
【００４１】
Ｓ２２の判定処理により、直近の時刻における測定需要カーブＤＣ２の値が閾値ＴＨ未満と判定された場合（ＮＯの場合）には、Ｓ２１に戻り上述の処理が繰り返される。Ｓ２２の判定処理により、直近の時刻における測定需要カーブＤＣ２の値が閾値ＴＨ以上と判定された場合（ＹＥＳの場合）には、補正値算出部１４は、ピークカット値の補正値ＣＶを算出する処理を行う（Ｓ２３：補正値算出ステップ）。
【００４２】
具体的には、需要カーブＤＣ１と閾値ＴＨとが交わる時刻であって、演算処理時に近い時刻である第１時刻Ｔ１を求める演算処理を行う。また、測定需要カーブＤＣ２と閾値ＴＨとが交わる時刻であって、演算処理時に近い時刻である第２時刻Ｔ２を求める演算処理を行う。
【００４３】
図６（ａ）に示すように、第２時刻Ｔ２が第１時刻Ｔ１よりも早い場合には、補正値算出部１４は、ピークカット値の暫定値ＰＶを上げた値をピークカット値の補正値ＣＶとする処理を行う。
【００４４】
値を上げる幅は、第２時刻Ｔ２と第１時刻Ｔ１の時刻差の大きさに基づいて定めることができる。これにより、測定需要カーブＤＣ２とピークカット値の補正値ＣＶに基づいて推定される商用系統２０から購入する電力量の削減量が、蓄電池３０から放電が許容される電力量以下となる。言い換えると、ピークカット時に負荷４０の消費電力量が、蓄電池３０から供給される電力量を上回ることが抑制される。
【００４５】
その一方で図６（ｂ）に示すように、第１時刻Ｔ１が第２時刻Ｔ２よりも早い場合には、補正値算出部１４は、ピークカット値の暫定値ＰＶを下げた値をピークカット値の補正値ＣＶとする処理を行う。
【００４６】
ピークカット値の補正値ＣＶが算出されると、制御部１５は、演算処理を行っている時刻がピークカット制御を開始する時刻か（以下「開始時刻」とも表記する。）否かを判定する処理を行う（Ｓ２４）。開始時刻は、測定需要カーブＤＣ２とピークカット値の補正値ＣＶに基づいて定められる時刻である。開始時刻に至っていないと判定された場合（ＮＯの場合）には、予め定められた所定期間待機した後、再びＳ２４の処理を行う。
【００４７】
演算処理を行っている時刻が開始時刻になったと判定した場合（ＹＥＳの場合）には、制御部１５はピークカット制御を行う演算処理を行う（Ｓ２５）。具体的には、負荷４０に供給する電力を、商用系統２０から供給される電力から蓄電池３０から放電される電力に切り替える制御を行う。
【００４８】
ピークカット制御は、所定の期間、例えば蓄電池３０から電力が供給可能な期間継続して行われる。ピークカット制御が終了する場合には、制御部１５は、負荷４０に供給する電力を、蓄電池３０から放電される電力から商用系統２０から供給される電力に切り替える制御を行う。
【００４９】
また、蓄電池３０に対して充電を行う制御も行われる。充電制御を行うタイミングとしては、他の時間帯と比較して電力料金が安い時間帯のタイミングなどを例示することができる。
【００５０】
ピークカット制御が終了すると、図２に戻り、電力管理装置１０における一連のピークカット制御が終了する。その後、次のピークカット制御が開始されるまで電力管理装置１０は待機する。
【００５１】
上記の構成の電力管理装置１０によれば、蓄電量および推定した需要カーブＤＣ１に基づいてピークカット値の暫定値ＰＶを算出した後、需要カーブＤＣ１および測定需要カーブＤＣ２の差に基づいてピークカット値の暫定値ＰＶを補正したピークカット値の補正値ＣＶを算出することにより、ピークカット制御を行った際に蓄電池３０の容量に空きが発生したり、容量が不足したりすることを抑制できる。
【００５２】
例えば、ピークカット値の暫定値ＰＶを用いると蓄電池３０の容量に空きが発生する場合には、需要カーブＤＣ１および測定需要カーブＤＣ２の差に基づいて補正したピークカット値の補正値ＣＶを用いることにより、蓄電池３０の容量に空きが発生しにくくなる。また、ピークカット値の暫定値ＰＶを用いると蓄電池３０の容量が不足する場合には、需要カーブＤＣ１および測定需要カーブＤＣ２の差に基づいて補正したピークカット値の補正値ＣＶを用いることにより、蓄電池３０の容量の不足が発生しにくくなる。
【００５３】
〔第２の実施形態〕
次に、本発明の第２の実施形態に係る電力管理装置について図７および図８を参照して説明する。本実施形態の電力管理装置の基本構成は、第１の実施形態と同様であるが、第１の実施形態とは、ピークカット値の補正値に関する演算内容が異なっている。よって、本実施形態においては、図７および図８を用いてピークカット値の補正値に関する演算内容について説明し、その他の構成要素や演算処理等の説明を省略する。
【００５４】
図７に示す本実施形態の電力管理装置１０Ａおける補正値算出部１４Ａは、ピークカット値の補正値ＣＶを算出する処理を行う（Ｓ２３）。補正値算出部１４Ａは第１の実施形態の補正値算出部１４とは異なる方法でピークカット値の補正値ＣＶを算出する処理を行う。
【００５５】
具体的には、図８（ａ）（ｂ）に示すように、需要カーブＤＣ１とピークカット値の暫定値ＰＶとが交わる時刻であって、演算処理時に近い時刻である第１時刻Ｔ１を求める演算処理を行う。次いで需要カーブＤＣ１と閾値ＴＨとが交わる時刻であって演算処理時に近い時刻と第１時刻Ｔ１との差である時刻差ｄＴ１を求める演算処理を行う。
【００５６】
また、測定需要カーブＤＣ２と閾値ＴＨとが交わる時刻であって、演算処理時に近い時刻である第２時刻Ｔ２を求める演算処理を行う。次いで第１時刻Ｔ１と第２時刻Ｔ２との差である時刻差ｄＴ２を求める演算処理を行う。
【００５７】
図８（ａ）に示すように、時刻差ｄＴ１が時刻差ｄＴ２よりも小さい場合には、補正値算出部１４Ａは、ピークカット値の暫定値ＰＶを上げた値をピークカット値の補正値ＣＶとする処理を行う。
【００５８】
値を上げる幅は、時刻差ｄＴ１が時刻差ｄＴ２の差の大きさに基づいて定めることができる。これにより、測定需要カーブＤＣ２とピークカット値の補正値ＣＶに基づいて推定される商用系統２０から購入する電力量の削減量が、蓄電池３０から放電が許容される電力量以下となる。言い換えると、ピークカット時に負荷４０の消費電力量が、蓄電池３０から供給される電力量を上回ることが抑制される。
【００５９】
その一方で図８（ｂ）に示すように、時刻差ｄＴ１が時刻差ｄＴ２よりも大きい場合には、補正値算出部１４Ａは、ピークカット値の暫定値ＰＶを下げた値をピークカット値の補正値ＣＶとする処理を行う。
【００６０】
上記の構成の電力管理装置１０Ａによれば、第１時刻Ｔ１と第２時刻Ｔ２との差である時刻差ｄＴ２に基づいてピークカット値の補正値ＣＶを算出することにより、時刻差ｄＴ２を用いない場合と比較して、ピークカット値の補正値ＣＶの精度を高めやすくなる。
【００６１】
〔第３の実施形態〕
次に、本発明の第３の実施形態に係る電力管理装置について図９および図１０を参照して説明する。本実施形態の電力管理装置の基本構成は、第１の実施形態と同様であるが、第１の実施形態とは、ピークカット値の補正値に関する演算内容が異なっている。よって、本実施形態においては、図９および図１０を用いてピークカット値の補正値に関する演算内容について説明し、その他の構成要素や演算処理等の説明を省略する。
【００６２】
図９に示す本実施形態の電力管理装置１０Ｂおける補正値算出部１４Ｂは、ピークカット値の補正値ＣＶを算出する処理を行う（Ｓ２３）。補正値算出部１４Ｂは第１の実施形態の補正値算出部１４とは異なる方法でピークカット値の補正値ＣＶを算出する処理を行う。
【００６３】
具体的には、図１０（ａ）（ｂ）に示すように、需要カーブＤＣ１とピークカット値の暫定値ＰＶとが交わる時刻であって、ピークカット制御を開始時する時刻（演算処理時に近い時刻）である第１時刻Ｔ１を求める演算処理を行う。次いで第１時刻Ｔ１から所定時間だけ前の判定時刻Ｔ２を求める演算処理を行う。
【００６４】
その後判定時刻Ｔ２における測定需要カーブＤＣ２の値Ｄ２と、需要カーブＤＣ１の値Ｄ１とを求める演算処理を行う。次いで測定需要カーブＤＣ２の値Ｄ２から需要カーブＤＣ１の値Ｄ１を引いた需要差ｄＤを求める演算処理を行う。
【００６５】
図１０（ａ）に示すように、需要差ｄＤが０よりも大きい場合には、補正値算出部１４Ｂは、ピークカット値の暫定値ＰＶを上げた値をピークカット値の補正値ＣＶとする処理を行う。
【００６６】
値を上げる幅は、需要差ｄＤの値の大きさに基づいて定めることができる。これにより、測定需要カーブＤＣ２とピークカット値の補正値ＣＶに基づいて推定される商用系統２０から購入する電力量の削減量が、蓄電池３０から放電が許容される電力量以下となる。言い換えると、ピークカット時に負荷４０の消費電力量が、蓄電池３０から供給される電力量を上回ることが抑制される。
【００６７】
その一方で図１０（ｂ）に示すように、需要差ｄＤが０よりも小さい場合には、補正値算出部１４Ｂは、ピークカット値の暫定値ＰＶを下げた値をピークカット値の補正値ＣＶとする処理を行う。
【００６８】
上記の構成の電力管理装置１０Ｂによれば、判定時刻Ｔ２における測定需要カーブＤＣ２の値Ｄ２から需要カーブＤＣ１の値Ｄ１を引いた需要差ｄＤに基づいてピークカット値の補正値ＣＶを算出することにより、需要差ｄＤを用いない場合と比較して、ピークカット値の補正値ＣＶの精度を高めやすくなる。
【００６９】
なお、本発明の技術範囲は上記実施形態に限定されるものではなく、本発明の趣旨を逸脱しない範囲において種々の変更を加えることが可能である。例えば、本発明を上記の実施形態に適用したものに限られることなく、これらの実施形態を適宜組み合わせた実施形態に適用してもよく、特に限定するものではない。
【符号の説明】
【００７０】
１０，１０Ａ，１０Ｂ…電力管理装置、１１…取得部、１２…推定部、１３…暫定値算出部、１４，１４Ａ，１４Ｂ…補正値算出部、２０…商用系統、３０…蓄電池（蓄電部）、ＤＣ１…需要カーブ、ＰＶ…ピークカット値の暫定値、ＣＶ…ピークカット値の補正値、ＤＣ２…測定需要カーブ、Ｓ１１…取得ステップ、Ｓ１２…推定ステップ、Ｓ１３…暫定値算出ステップ、Ｓ２１…取得ステップ、Ｓ２３…補正値算出ステップ
【図１】
2019088173.tif 000003
【図２】
2019088173.tif 000004
【図３】
2019088173.tif 000005
【図４】
2019088173.tif 000006
【図５】
2019088173.tif 000007
【図６】
2019088173.tif 000008
【図７】
2019088173.tif 000009
【図８】
2019088173.tif 000010
【図９】
2019088173.tif 000011
【図１０】
2019088173.tif 000012